【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
ユーザによって携帯される無線装置の第１識別情報と、ユーザによって預けられた物品に関連付けられる報知装置の第２識別情報を取得するインターフェース部と、
前記インターフェース部で取得した前記第１識別情報と第２識別情報とを関連付けて記憶する記憶部と、
前記無線装置からの第１信号を取得する第１通信部と、
前記第１信号に基づき、前記無線装置までの距離を判断する制御部と、
前記無線装置までの距離が所定の距離以下である場合に、前記報知装置にアラーム報知を起こさせるための第２信号を送信する第２通信部と、
を備える物品管理装置。
【請求項２】
ディスプレイ、をさらに備え、
前記制御部は、前記無線装置までの距離が所定の距離以下である場合に、さらに、前記ディスプレイに通知を表示する請求項１に記載の物品管理装置。
【請求項３】
前記制御部は、前記無線装置までの距離が所定の距離以下である場合に、当該無線装置あるいは当該無線装置に対応付けられた報知装置のいずれかの情報、および当該無線装置までの距離を示す情報を前記ディスプレイに表示する請求項２に記載の物品管理装置。
【請求項４】
前記記憶部は、前記第１識別情報と前記第２識別情報とに関連付けて、さらに日時情報を記憶し、
前記制御部は、前記日時情報からの経過時間を計算し、計算された経過時間が所定の時間よりも少ないかを判断し、計算された経過時間が所定の時間よりも少ない場合、前記第２通信部に前記第２信号を送信させない請求項１乃至３のいずれか１記載の物品管理装置。
【請求項５】
ユーザによって預けられた物品に関連付けられる第１の報知装置を含む複数の報知装置と、
ユーザによって携帯される無線装置の第１識別情報と、前記第１の報知装置の第２識別情報とを取得する取得部と、
前記取得部で取得した前記第１識別情報と第２識別情報とを関連付けて記憶する記憶部と、
前記無線装置からの第１信号を取得する第１通信ユニットと、
前記第１信号に基づき、前記無線装置までの距離を判断する制御部と、
前記無線装置までの距離が所定の距離以下である場合に、前記報知装置にアラーム報知を起こさせるための第２信号を送信する第２通信ユニットと、
を備える物品管理システム。
【請求項６】
ユーザによって携帯される無線装置の第１識別情報と、ユーザによって預けられた物品に関連付けられる報知装置の第２識別情報を取得するインターフェース部と、
前記インターフェース部で取得した前記第１識別情報と第２識別情報とを関連付けて記憶する記憶部と、
前記無線装置からの第１信号を取得する第１通信部と、
前記第１信号に基づき、前記無線装置の電波強度を判断する制御部と、
前記電波強度が所定の電波強度よりも大きい場合に、前記報知装置にアラーム報知を起こさせるための第２信号を送信する第２通信部と、
を備える物品管理装置。
【請求項７】
ディスプレイをさらに備え、
前記制御部は、前記無線装置の電波強度が所定の電波強度よりも大きい場合に、さらに、前記ディスプレイに通知を表示する請求項６に記載の物品管理装置。
【請求項８】
前記制御部は、前記無線装置の電波強度に基づき、前記無線装置までの距離を判断し、当該無線装置あるいは当該無線装置に対応付けられた報知装置のいずれかの情報、および当該無線装置までの距離を示す情報を前記ディスプレイに表示する請求項７に記載の物品管理装置。
【請求項９】
前記記憶部は、前記第１識別情報と前記第２識別情報とに関連付けて、さらに日時情報を記憶し、
前記制御部は、前記日時情報からの経過時間を計算し、計算された経過時間が所定の時間よりも少ないかを判断し、計算された経過時間が所定の時間よりも少ない場合、前記第２通信部に前記第２信号を送信させない請求項６乃至８のいずれか１記載の物品管理装置。
【請求項１０】
ユーザによって預けられた物品に関連付けられる第１の報知装置を含む複数の報知装置と、
ユーザによって携帯される無線装置の第１識別情報と、前記第１の報知装置の第２識別情報とを取得する取得部と、
前記取得部で取得した前記第１識別情報と第２識別情報とを関連付けて記憶する記憶部と、
前記無線装置からの第１信号を取得する第１通信部と、
前記第１信号に基づき、前記無線装置の電波強度を判断する制御部と、
前記電波強度が所定の電波強度より大きい場合に、前記報知装置にアラーム報知を起こさせるための第２信号を送信する第２通信部と、
を備える物品管理システム。
【手続補正２】
【補正対象書類名】明細書
【補正対象項目名】発明の名称
【補正方法】変更
【補正の内容】
【発明の名称】物品管理装置及び物品管理システム
【手続補正３】
【補正対象書類名】明細書
【補正対象項目名】０００１
【補正方法】変更
【補正の内容】
【０００１】
本発明の実施形態は、利用者から荷物を一時的に預かる荷物預かり所にて構築される物品管理システム及びこのシステムの物品管理装置に関する。
【手続補正４】
【補正対象書類名】明細書
【補正対象項目名】０００４
【補正方法】変更
【補正の内容】
【０００４】
本発明の実施形態が解決しようとする課題は、荷物の引き渡しに要する時間を短縮して、窓口業務の効率化を図り得る物品管理装置及び物品管理システムを提供しようとするものである。
【手続補正５】
【補正対象書類名】明細書
【補正対象項目名】０００５
【補正方法】変更
【補正の内容】
【０００５】
一実施形態において、物品管理装置は、インターフェース部と、記憶部と、第１通信部と、制御部と、第２通信部とを備える。インターフェース部は、ユーザによって携帯される無線装置の第１識別情報と、ユーザによって預けられた物品に関連付けられる報知装置の第２識別情報を取得する。記憶部は、インターフェース部で取得した第１識別情報と第２識別情報とを関連付けて記憶する。第１通信部は、無線装置からの第１信号を取得する。制御部は、第１信号に基づき、無線装置までの距離を判断する。第２通信部は、無線装置までの距離が所定の距離以下である場合に、報知装置にアラーム報知を起こさせるための第２信号を送信する。
【手続補正６】
【補正対象書類名】明細書
【補正対象項目名】０００７
【補正方法】変更
【補正の内容】
【０００７】
以下、物品である荷物の引き渡しに要する時間を短縮して、窓口業務の効率化を図り得る荷物管理装置及び荷物管理システムの実施形態について、図面を用いて説明する。
【手続補正７】
【補正対象書類名】明細書
【補正対象項目名】００８５
【補正方法】変更
【補正の内容】
【００８５】
受信した端末ＩＤを含むレコードが追跡ファイル４００に登録されている場合、受信した端末ＩＤは、アンテナＡＮＴ１の無線通信領域内を移動する利用者が携帯する通信端末１５０から発信されたものとみなすことができる。この場合（Act７９にてＹＥＳ）、ＣＰＵ１３１は、Act７７の処理で取得した相対距離Ｄｎ（ｍ）が第１のしきい値Ｄｓ１（例えば５０ｍ）よりも大きいか否かを確認する（Act８１：確認手段）。
【手続補正８】
【補正対象書類名】明細書
【補正対象項目名】００８６
【補正方法】変更
【補正の内容】
【００８６】
相対距離Ｄｎ（ｍ）が第１のしきい値Ｄｓ１以上の場合（Act８１にてＮＯ）、ＣＰＵ１３１は、受信した端末ＩＤを含むレコードの表示フラグＦ１を“０”にリセットする（Act８２）。ＣＰＵ１３１は、このレコードの警告フラグＦ２を“０”にリセットする（Act８５）。ＣＰＵ１３１は、相対距離Ｄｎ（ｍ）を当該レコードに記録する（Act８７）。以上で、端末ＩＤ受信後の処理が終了する。
【手続補正９】
【補正対象書類名】明細書
【補正対象項目名】００８７
【補正方法】変更
【補正の内容】
【００８７】
相対距離Ｄｎ（ｍ）が第１のしきい値Ｄｓ１よりも小さい場合（Act８１にてＹＥＳ）、ＣＰＵ１３１は、受信した端末ＩＤを含むレコードの表示フラグＦ１を“１”にセットする（Act８３）。
【手続補正１０】
【補正対象書類名】明細書
【補正対象項目名】００８８
【補正方法】変更
【補正の内容】
【００８８】
次にＣＰＵ１３１は、相対距離Ｄｎ（ｍ）が第２のしきい値Ｄｓ２（例えば３０ｍ）よりも大きいか否かを確認する（Act８４：確認手段）。相対距離Ｄｎ（ｍ）が第２のしきい値Ｄｓ２以上の場合（Act８４にてＮＯ）、ＣＰＵ１３１は、受信した端末ＩＤを含むレコードの警告フラグＦ２を“０”にリセットする（Act８５）。ＣＰＵ１３１は、相対距離Ｄｎ（ｍ）を当該レコードに記録する（Act８７）。以上で、端末ＩＤ受信後の処理が終了する。
【手続補正１１】
【補正対象書類名】明細書
【補正対象項目名】００８９
【補正方法】変更
【補正の内容】
【００８９】
相対距離Ｄｎが第２のしきい値Ｄｓ２よりも小さい場合（Act８４にてＹＥＳ）、ＣＰＵ１３１は、受信した端末ＩＤを含むレコードの警告フラグＦ２を“１”にセットする（Act８６）。ＣＰＵ１３１は、相対距離Ｄｎ（ｍ）を当該レコードに記録する（Act８７）。以上で、端末ＩＤ受信後の処理が終了する。